(57)【要約】【課題】  磁気カードに設けた磁気バーコードのパターンと真正なコードパターンとを異ならせて、高いセキュリティ性と識別性を有すると共に、偽造防止効果を高くし、しかも、真正なコードパターンを安定して読み取ることができる磁気カードおよび磁気カードの真偽判別方法を提供する。【解決手段】  基板２上に磁性体からなる磁気記録層３と、磁性体からなる磁気バーコード４を設けた磁気カード１であって、磁気バーコード４は、高い抗磁力を有する高磁気バー５と、この高磁気バーよりも低い抗磁力を有する低磁気バー６とを所定の順序で配列している。通常の状態では高磁気バー５と低磁気バー６に着磁してダミー磁気バーコードを構成し、真偽を判定するときには、低磁気バー６を消磁して高磁気バー５による正磁気バーコードのコードパターンと、予め記録された記憶パターンとを照合し、両パターンが一致したときに真正な磁気カードであることを判定する。【選択図】  図１
2005125630.tif 000002
【特許請求の範囲】
【請求項１】
基板上に磁性体からなる磁気記録層と、磁性体からなる磁気バーコードを設けた磁気カードであって、
前記磁気バーコードは、高い抗磁力を有する高磁気バーと、この高磁気バーよりも低い抗磁力を有する低磁気バーとを所定の順序で配列されたことを特徴とする磁気カード。
【請求項２】
前記高磁気バーは、前記磁気記録層とほぼ同じ高い抗磁力を有する請求項１に記載の磁気カード。
【請求項３】
前記低磁気バーは、複数の抗磁力を有する複数の低磁気バーに構成した請求項１に記載の磁気カード。
【請求項４】
高い抗磁力を有する高磁気バーと、この高磁気バーよりも低い抗磁力を有する低磁気バーとを所定の順序で配列された磁気バーコードを設けた磁気カードと、この磁気カードの前記磁気バーコードを読み取る磁気ヘッドと、前記低磁気バーを消磁または減磁する消去ヘッドとを少なくとも備え、
前記磁気バーコードは、高磁気バーと低磁気バーとが同等に磁化されたダミー磁気バーコードと、前記低磁気バーを前記消去ヘッドにより消磁または減磁することにより高磁気バーによって構成される正磁気バーコードとの形態を有し、
前記磁気ヘッドにより読み取られた前記正磁気バーコードの出力パターンと、予め記憶された記憶パターンとの一致を照合して真偽を判定することを特徴とする磁気カードの真偽判別方法。
【請求項５】
前記磁気バーコードの低磁気バーは、真偽を判定するモード状態のときに消磁または減磁され、前記磁気記録層に対する記録再生モード終了後に再び着磁してバーコードに変換する請求項４に記載の磁気カードの真偽判別方法。
【請求項６】
前記正磁気バーコードの記憶パターンは、前記磁気記録層に磁気記録されている請求項４に記載の磁気カードの真偽判別方法。
【請求項７】
前記正磁気バーコードの記憶パターンは、前記磁気記録層に磁気記録された暗号コードに基づいて形成される請求項４に記載の磁気カードの真偽判別方法。
【請求項８】
前記磁気バーは、高磁気バーと複数の低磁気バーとが同等に磁化されたダミー磁気バーコードと、前記低磁気バーを中間の消磁力により消磁または減磁することにより、前記高磁気バーと残された低磁気バーによって構成される複数の正磁気バーコードとの形態を有し、前記磁気ヘッドにより読み取られた複数の前記正磁気バーコードの出力パターンと、予め記憶された複数の記憶パターンとの一致を照合して真偽を判定する請求項４に記載の磁気カードの真偽判別方法。
【発明の詳細な説明】
【技術分野】
【０００１】
本発明は、磁気バーコードにより真偽を判別することができる磁気カードおよび磁気カードの真偽判別方法に関する。
【背景技術】
【０００２】
近年、プリペイドカード等の磁気カードの偽造使用防止方法として、磁性面または印刷面に磁気バーコードを設けて、そのコードパターンを読み取ることにより真偽を判別する方式が普及している。この磁気カードは、比較的透磁率の高いフェライト材や金属磁性材を印刷等によって設けられた磁気バーコードを磁気ヘッドで読み取り、磁気ヘッドの出力信号からパターンを得て、このパターンを確認して、その真偽の判別を行っている。
【０００３】
上述した磁気カードに設けられた磁気バーコードは、セキュリティ対策として、磁気バーコードの表面に隠蔽層を設けて目視できないようにしている。ところが、磁気バーコードの僅かな凹凸が隠蔽層の表面に浮き出ることから、磁気バーコードのパターンを読み取ることができる場合がある。また、凹凸が出ない場合には、磁気ヘッドによって読み取ることができる。このため、偽造しようとする磁気カードに、上記磁気バーコードと同じパターンの磁気バーコードを設けることにより、比較的容易に偽造磁気カードを製作することが可能となる。
【０００４】
このような偽造磁気カードを防止するために、従来から各種の対策が提案されている。例えば、特開平８−６３５６４号公報（特許文献１）には、偽造防止対策の一例が開示されている。すなわち、磁気カードには、支持体である基板上に磁性体からなる磁気記録層が設けられ、さらに、磁性面または印刷面上に磁気バーコードが設けられている。この磁気バーコードの粉末磁性材料としては、粉末の長軸と短軸の比が４：１以上の偏平状の高透磁率金属磁性材料が用いられる。そして、この磁気バーコードを読み取る磁気ヘッドのバイアス電流を変化させることにより、磁気ヘッドから大小の出力値が異なる磁気バーコードの出力を得ると共に、磁気ヘッドから得られる出力波形を２種類のスライスレベルで比較することによって、２種類以上に認識させてセキュリティを高めるようにしている。
【０００５】
しかし、上記磁気バーコードから２種類以上のコードパターンを認識するために、磁気バーコードを認識するための回路として、磁気ヘッドのバイアス電流を変化させる回路、および、２種類のスライスレベルを形成して出力波形と比較する回路が必要であり、必然的に回路構成が複雑になることから、コストアップの原因となっていた。また、磁気バーコードに用いられる金属磁性材料の透磁率や、磁気ヘッドから出力される出力波形は、比較的温度変化が大きいことから、温度によって出力値が変化する。しかも、金属磁性材料が減磁することもあり、このため、磁気ヘッドから得られる出力波形を２種類のスライスレベルで比較するときに、温度変化や減磁の影響を受けて誤った認識を行う問題がある。また、磁気バーコードの僅かな凹凸を読み取ることによって、比較的容易に偽造磁気カードを製作することが可能となる。
【０００６】
【特許文献１】特開平８−６３５６４号公報
【発明の開示】
【発明が解決しようとする課題】
【０００７】
本発明が解決しようとする課題は、磁気カードに設けた磁気バーコードのパターンと真正なコードパターンとを異ならせて、高いセキュリティ性と識別性を有すると共に、偽造防止効果を高くし、しかも、真正なコードパターンを安定して読み取ることができる磁気カードおよび磁気カードの真偽判別方法を提供することにある。
【課題を解決するための手段】
【０００８】
上記課題を解決するため、請求項１記載の発明は、基板上に磁性体からなる磁気記録層と、磁性体からなる磁気バーコードを設けた磁気カードであって、前記磁気バーコードは、高い抗磁力を有する高磁気バーと、この高磁気バーよりも低い抗磁力を有する低磁気バーとを所定の順序で配列されたことを要旨とする。
【０００９】
また、請求項２に記載の発明は、前記高磁気バーは、前記磁気記録層とほぼ同じ高い抗磁力を有することを要旨とする。
【００１０】
さらに、請求項３に記載の発明は、前記低磁気バーは、複数の抗磁力を有する複数の低磁気バーに構成したことを要旨とする。
【００１１】
さらにまた、請求項４に記載の発明は、高い抗磁力を有する高磁気バーと、この高磁気バーよりも低い抗磁力を有する低磁気バーとを所定の順序で配列された磁気バーコードを設けた磁気カードと、この磁気カードの前記磁気バーコードを読み取る磁気ヘッドと、前記低磁気バーを消磁または減磁する消去ヘッドとを少なくとも備え、
前記磁気バーコードは、高磁気バーと低磁気バーとが同等に磁化されたダミー磁気バーコードと、前記低磁気バーを前記消去ヘッドにより消磁または減磁することにより高磁気バーによって構成される正磁気バーコードとの形態を有し、
前記磁気ヘッドにより読み取られた前記正磁気バーコードの出力パターンと、予め記憶された記憶パターンとの一致を照合して真偽を判定することを要旨とする。
【００１２】
また、請求項５に記載の発明は、前記磁気バーコードの低磁気バーは、真偽を判定するモード状態のときに消磁または減磁され、前記磁気記録層に対する記録再生モード終了後に再び着磁して前記ダミー磁気バーコードに変換することを要旨とする。
【００１３】
また、請求項６に記載の発明は、前記正磁気バーコードの記憶パターンは、前記磁気記録層に磁気記録されていることを要旨とする。
【００１４】
また、請求項７に記載の発明は、前記正磁気バーコードの記憶パターンは、前記磁気記録層に磁気記録された暗号コードに基づいて形成されることを要旨とする。
【００１５】
また、請求項８に記載の発明は、前記磁気バーは、高磁気バーと複数の低磁気バーとが同等に磁化されたダミー磁気バーコードと、前記低磁気バーを中間の消磁力により消磁または減磁することにより、前記高磁気バーと残された低磁気バーによって構成される複数の正磁気バーコードとの形態を有し、前記磁気ヘッドにより読み取られた複数の前記正磁気バーコードの出力パターンと、予め記憶された複数の記憶パターンとの一致を照合して真偽を判定することを要旨とする。
【発明の効果】
【００１６】
本発明によれば、磁気カードに設けた磁気バーコードが、高い抗磁力を有する高磁気バーと、この高磁気バーよりも低い抗磁力を有する低磁気バーとを所定の順序で配列しているので、カード返却時に、これらの磁気バーコードを着磁することにより、通常の手段で読み取ったこれらの磁気バーコードのパターン、或いは、隠蔽層を設けた磁気バーコードの表面に浮き出た磁気バーコードのパターンを読み取ったとしても、真正なパターンではないので高いセキュリティ性を得ることが可能となる。また、磁気バーコードの低磁気バーを消磁または減磁することにより真正なパターンを安定して読み取ることが可能であり、高いセキュリティ性と識別性を有することから、磁気カードの偽造防止効果を高くすることが可能となる。
【００１７】
また、請求項２に記載の発明によれば、高磁気バーの抗磁力を、磁気記録層とほぼ同じ抗磁力としたので、真正な磁気バーコードのパターンを安定して読み取ることが可能となる。
【００１８】
さらに、請求項３に記載の発明によれば、低磁気バーを複数の抗磁力を有する複数の低磁気バーで構成したので、低磁気バーに対する消磁または減磁の強さを変えることによって、複数種類の真正な磁気バーコードのパターンを得ることができることから、セキュリティ性をさらに高めることが可能となる。
【００１９】
さらにまた、請求項４に記載の発明によれば、高磁気バーと低磁気バーによって構成されるダミー磁気バーコードと、低磁気バーを消磁または減磁した後に高磁気バーによって構成される正磁気バーコードとの２つのパターン形態を有し、磁気ヘッドによって読み取られた正磁気バーコードと記憶パターンとの一致を照合して真偽を判定するので、高いセキュリティ性が得られ、しかも、正磁気バーコードを高い抗磁力を有する高磁気バーによって構成したので、高い識別性を得ることが可能となる。
【００２０】
また、請求項５に記載の発明によれば、磁気バーコードの低磁気バーは、真偽を判定するモード状態のときに消磁または減磁され、記録再生モード終了後に再び着磁してダミー磁気バーコードに変換するので、通常の状態ではダミー磁気バーコードのみとなるので、セキュリティを高めることが可能となる。
【００２１】
また、請求項６に記載の発明によれば、正磁気バーコードの記憶パターンを、磁気記録層に磁気記録しているので、磁気カード毎に正磁気バーコードを異ならせても、記憶パターンを磁気カード自身に記録されているので、両者を照合することにより真偽を容易に判定することが可能となる。
【００２２】
また、請求項７に記載の発明によれば、正磁気バーコードの記憶パターンを、磁気カードの磁気記録層に磁気記録された暗号コードに基づいて形成されるので、磁気記録層の磁気記録内容を読み取られても、正磁気バーコードのパターンを読み取ることができないので、さらにセキュリティを高めることが可能となる。
【００２３】
また、請求項８に記載の発明によれば、高磁気バーと低磁気バーおよび消磁力を異ならせることによって得られる磁気バーによって複数の正磁気バーコードと、予め記憶された複数の記憶パターンとの一致を照合して真偽を判定することによって、さらにセキュリティを高めることが可能となる。
【発明を実施するための最良の形態】
【００２４】
磁気カードは、基板上に磁性体からなる磁気記録層と、磁性体からなる磁気バーコードを設けられている。前記磁気バーコードは、高い抗磁力を有する高磁気バーと、この高磁気バーよりも低い抗磁力を有する低磁気バーとが所定の順序で配列されている。通常の状態においては、高磁気バーおよび低磁気バーに着磁が施され、これら両磁気バーによってダミー磁気バーコードが構成される。また、低磁気バーが消磁または減磁され高磁気バーの磁力を残すことによって真正な正磁気バーコードが構成される。磁気カードリーダに磁気カードを挿入すると、磁気カードの真偽を判定するモード状態となって、低磁気バーが消磁または減磁されて高磁気バーによる正磁気バーコードが残る。この正磁気バーコードを磁気ヘッドで読み取り、このコードパターンと真正な磁気バーコードとして予め記録されされさ記憶パターンと照合することにより磁気カードの真偽が判定される。そして、記録再生モードが終了して磁気カードリーダから磁気カードを排出する間に再び高磁気バーおよび低磁気バーに着磁を施してダミー磁気バーコードに変換する。
【実施例１】
【００２５】
先ず、本発明を適用した磁気カードについて説明する。プリペイドカード等の磁気カード１は、支持体である例えばポリエチレンテレフタレート（ＰＥＴ）からなる基板２上の全面に、例えば抗磁力が２７５０Ｏｅのバリウムフェライトを、厚さ１０μｍに塗布乾燥することによって、高い抗磁力の磁気記録層３が設けられている。この磁気記録層の表面の磁気バーコードエリアには、所定のパターンで磁気バーコード４が設けられている。この磁気バーコード４には、図１に示すように、磁気記録層３と同様に高い抗磁力を有する高磁気バー５と、例えば抗磁力が３００Ｏｅ程度のハッチングにより示す低磁気バー６が所定の配列によって設けられている。高磁気バー５と低磁気バー６の配列は、磁気カード１毎、或いは、所定のルールの基づいて異ならせている。また、この高磁気バー５と低磁気バー６は、図２に示すような抗磁力の差を有している。これらの上記磁気記録層と磁気バーコード４の表面には保護膜７が設けられ、上記磁気バーコード４を隠蔽するようにしている。さらに、磁気記録層３にはデータトラック８が設けられていて、後述する磁気ヘッドによって所定事項が磁気的に書き込みと読み取りが行われる。このデータトラック８には、上記磁気バーコード４に対応した正磁気バーコードのパターンが記憶されている。
【００２６】
次に、上述した磁気カード１の真偽の判定方法について説明する。磁気カード１は、図示しない磁気カードリーダに取り込まれて、真偽の判定および所定事項が磁気的に書き込みと読み取りが行われる。上記磁気カードリーダのカード挿入口近傍には、磁気バーコード４のコードパターンを読み取るためのプリ磁気ヘッド１０が設けられている。このプリ磁気ヘッドとしては、カード挿入方向の上流側に設けられた消去用ヘッド１０ａと、下流側に設けられた記録再生用ヘッド１０ｂが一体に設けられたコンビネーション磁気ヘッドが望ましい。
【００２７】
磁気カードリーダのカード挿入口から磁気カード１が取り込まれると、カード検出信号に基づき、先ず、消去用ヘッド１０ａによって磁気バーコード４の低磁気バー６が消去される。このとき、消去用ヘッド１０ａは、３００Ｏｅの抗磁力を有する低磁気バー６を消去するようにバイアスされているので、磁気バーコード４の高磁気バー５は若干減磁されるものの、磁化された状態で残存する。この高磁気バー５は、下流側の記録再生用ヘッド１０ｂによって読み取られると共に、図示しない制御装置に送られて、図３（Ａ）に示すようなコードパターンが、磁気カード１の正磁気バーコードとして記憶される。
【００２８】
一方、データトラック８に対応する位置には、図１に示す磁気ヘッド１１が設けられ、データトラック８に対して書き込みと読み取りが行われる。データトラック８には、図３（Ｂ）に示すように、予め、カード挿入口から取り込まれる磁気カード１固有の記憶パターンが記録されている。この記憶パターンは、磁気カード１が磁気カードリーダの走行路を走行するときに、磁気ヘッド１１によって読み取られる。
【００２９】
そして、プリ磁気ヘッド１０によって読み取られた正磁気バーコードと、磁気カード１固有の記憶パターンとが制御装置によって照合される。この結果、正磁気バーコードと記憶パターンとが、図３（Ａ）（Ｂ）に示すように一致した場合には、取り込まれた磁気カード１が真正なカードであるものと判定される。その後、データトラック８には、磁気ヘッド１１によって、各種データの書き換えが行われる。
【００３０】
真正であると判定された磁気カード１は、所定の情報処理が行われた後に、再び磁気カードリーダのカード挿入口から返却される。この前段階で上記プリ磁気ヘッド１０の記録再生用ヘッド１０ｂによって、磁気バーコード４の高磁気バー５および低磁気バー６に着磁が施され、全ての磁気バーがほぼ同一に磁化されて、磁気カードリーダに挿入する以前の状態に戻される。この結果、全ての磁気バーが着磁された磁気バーコード４は、図３（Ｃ）に示すようなダミー磁気バーコードの状態となる。
【００３１】
磁気カード１が偽造されたものである場合には、プリ磁気ヘッド１０の消去用ヘッド１０ａによって消去しても全ての磁気バーが残存していることから、図３（Ｃ）に示すようなダミー磁気バーコードとして読み取られる。この偽造カードは、作成者が磁気バーコード４における磁気バーの抗磁力の相違を知り得ないために、磁気バーが全て同じ抗磁力を有しているものとして偽造が行われる。このために、ダミー磁気バーコードとデータトラック８に記録された記憶パターンとは当然ながら相違することから、磁気カードリーダに取り込まれた磁気カード１は、偽造磁気カードと判定される。この偽造カードは、通常の場合、磁気カードリーダ内に取り込まれると共に、その旨のメッセージが表示され、使用者に伝えられる。このとき、取り込まれた偽造カードは返却しない、または、使用不可能な状態（廃札処理）にして返却される。
【００３２】
以上の実施例においては、磁気バーコード４の低磁気バー６を消去するようにしたが、必ずしも全てを消去しなくても、減磁することによって出力信号が小さくなるようにしても良い。すなわち、低磁気バー６を減磁した場合には、プリ磁気ヘッド１０の記録再生用ヘッド１０ｂから得られる出力信号には、低磁気バー６の信号が低レベルで表れる。この信号は、高磁気バー５による出力信号に比較して十分に小さいので、制御装置の閾値を多少大きくすることにより、除去することが可能である。また、閾値の設定は、記録再生用ヘッド１０ｂから得られる出力信号に含まれるノイズ成分を除去するために設定されるので、制御装置の構成を変更しなくても良い。
【００３３】
また、上記正磁気バーコードに対して基準となる記憶パターンは、上記制御装置のメモリー内に記憶させても良い。正磁気バーコードは磁気カード１に異なるので、例えば、磁気カード１のデータトラック８に記録されたカード番号等を読み取り、上記制御装置内に記憶されたデータから磁気カード１の正磁気バーコードの記憶パターンを読み出し、プリ磁気ヘッド１０によって読み取られた正磁気バーコードと、磁気カード１固有の記憶パターンとを照合することによって、両者が一致した場合には、取り込まれた磁気カード１が真正なカードであるものと判定される。
【００３４】
上述した磁気カード１において、記憶パターンをデータトラック８に記録したが、磁気カードを偽造する場合には、この記憶パターンを読み取って高磁気バー５を作成する可能性がある。このような偽造を防止するために、データトラック８には記憶パターンを暗号化して記録することが望ましい。暗号化記憶パターンは、磁気ヘッド１１によって読み取られ、上記制御装置内で上記記憶パターンに変換した後に磁気カード１の正磁気バーコードのパターンと照合される。
【実施例２】
【００３５】
図４は、本発明の第２の実施例を示し、磁気カードのセキュリティ性を高めるようにしている。プリペイドカード等の磁気カード２０は、前述した磁気カード１と同様に構成されているが、実施例１と相違する点は、磁気記録層３の表面の磁気バーコードエリアに設けられた所定のパターンの磁気バーコード２１に、図４および図５に示す抗磁力の差のような、磁気記録層３と同様に高い抗磁力を有する高磁気バー２２と、例えば抗磁力が１１００Ｏｅ程度の中磁気バー２３、および、抗磁力が３００Ｏｅ程度の低磁気バー２４を所定の配列によって設けたことである。そして、これら高磁気バー２２、中磁気バー２３、および、低磁気バー２４の配列を磁気カード１毎、或いは、所定のルールの基づいて異ならせることによって、少なくとも２種類の正磁気バーコードのパターを備え、前述した記憶パターンと照合させるようにしている。
【００３６】
また、磁気カードリーダのカード挿入口近傍には、消去用ヘッド３０ａおよび記録再生用ヘッド３０ｂを備えたプリ磁気ヘッド３０がカード走行方向に配置されている。
【００３７】
次に、上述した実施例２による磁気カード２０の真偽の判定方法について説明する。磁気カード２０が前述したようにカード挿入口から取り込まれると、カード検出信号によって、先ず、プリ磁気ヘッド３０の消去用ヘッド３０ａによって中磁気バー２３の磁力、および、低磁気バー２４の磁力が消磁される。このとき、消去用ヘッド３０ａは、中磁気バー２３の磁力以下を消磁するようにバイアス設定されている。その後、プリ磁気ヘッド３０の記録再生用ヘッド３０ｂによって、残された高磁気バー２２からなる第１の正磁気バーコードの出力パターンが得られ、図示しない制御装置に送られて、図６（Ａ）に示すようなコードパターンが、磁気カード２０の第１の正磁気バーコードとして記憶される。磁気カード２０は、反対方向に走行され、プリ磁気ヘッド３０の記録再生用ヘッド３０ｂを通過するときに、消磁された中磁気バー２３および低磁気バー２４を再び磁化する。
【００３８】
その後、磁気カード２０は再び正方向に走行し、プリ磁気ヘッド３０の消去用ヘッド３０ａによって低磁気バー２４の磁力が消磁される。このとき、消去用ヘッド３０ａは、低磁気バー２４の磁力を消磁するようにバイアス設定されている。そして、プリ磁気ヘッド３０の記録再生用ヘッド３０ｂによって、残された中磁気バー２３および高磁気バー２２からなる第２の正磁気バーコードの出力パターンが得られ、図示しない制御装置に送られて、図６（Ｃ）に示すようなコードパターンが、磁気カード２０の第２の正磁気バーコードとして記憶される。
【００３９】
一方、データトラック８には、図６（Ｂ）および（Ｄ）に示すように、予め、カード挿入口から取り込まれる磁気カード１固有の第１の記憶パターンおよび第２の記憶パターンが記録されている。これらの記憶パターンは、磁気カード２０が磁気カードリーダの走行路を走行するときに、磁気ヘッド１１によって読み取られる。そして、第１の正磁気バーコードのコードパターンと、第２の正磁気バーコードのコードパターンが、磁気カード２０固有の図６（Ｂ）および（Ｄ）に示す第１の記憶パターンおよび第２の記憶パターン
と制御装置によって照合される。この結果、第１および第２の正磁気バーコードと第１および第２の記憶パターンとが一致した場合には、取り込まれた磁気カード２０が真正なカードであるものと判定される。その後、データトラック８には、磁気ヘッド１１によって、各種データの書き換えが行われる。
【００４０】
前述したように、真正な磁気カード２０は、所定の情報処理が行われた後に、再び磁気カードリーダのカード挿入口から返却される。この前段階で上記プリ磁気ヘッド３０の記録再生用ヘッド３０ｂによって、消磁された中磁気バー２３および低磁気バー２４に着磁が施され、全ての磁気バーがほぼ同一に磁化されて、磁気カードリーダに挿入する以前の状態に戻される。この結果、全ての磁気バーが着磁された磁気バーコード２１は、図６（Ｅ）に示すようなダミー磁気バーコードの状態となる。
【００４１】
このように、抗磁力が異なる３種の磁気バーによって磁気バーコード２１を構成させ、２種の異なる正磁気バーコードの出力パターンを得て、２種の異なる記憶パターンと各々照合するので、セキュリティ性を大幅に高めることが可能となる。また、目視によって磁気バーコード２１が有する正磁気バーコードを読み取ることは殆ど不可能であり、磁気カード２０の偽造を著しく困難にすることができる。
【００４２】
なお、以上の実施例２においても、上記第１および第２の正磁気バーコードに対して基準となる第１および第２の記憶パターンは、上記制御装置のメモリー内に記憶させても良い。また、データトラック８には記憶パターンを暗号化して記録し、この暗号化記憶パターンを上記制御装置内で上記記憶パターンに変換した後に磁気カード２０の第１および第２の正磁気バーコードのパターンと照合するようにしても良い。
【００４３】
なお、前述した各実施例において、前述した磁気カードは一例を示すものであり、他の構成に適宜変更することも可能であり、その他、本発明を逸脱しない範囲で変形可能である。
【産業上の利用可能性】
【００４４】
本発明は、磁気バーコードを備えたプリペイドカード等の各種の磁気カードに適用可能であり、また、この磁気バーコードを備えた磁気カードを処理するカードリーダおよびその制御装置に適用可能である。
【図面の簡単な説明】
【００４５】
【図１】本発明にかかる第１の実施例の磁気カードを示す平面図である。
【図２】第１の実施例の磁気カードの磁気バーコードにおける抗磁力を示す特性図である。
【図３】（Ａ）乃至（Ｃ）は、第１の実施例の磁気カードにおけるコードパターンを示すパターン図である。
【図４】本発明にかかる第２の実施例の磁気カードを示す平面図である。
【図５】第２の実施例の磁気カードの磁気バーコードにおける抗磁力を示す特性図である。
【図６】（Ａ）乃至（Ｅ）は、第２の実施例の磁気カードにおけるコードパターンを示すパターン図である。
【符号の説明】
【００４６】
１        磁気カード
４        磁気バーコード
５        高磁気バー
６        低磁気バー
１０      プリ磁気ヘッド
１０ａ    消去ヘッド
１０ｂ    記録再生ヘッド
１１      磁気ヘッド
２０      磁気カード
２１      磁気バーコード
２２      高磁気バー
２３      中磁気バー
２４      低磁気バー
３０      プリ磁気ヘッド
３０ａ    消去ヘッド
３０ｂ    記録再生ヘッド
【図１】
2005125630.tif 000003
【図２】
2005125630.tif 000004
【図３】
2005125630.tif 000005
【図４】
2005125630.tif 000006
【図５】
2005125630.tif 000007
【図６】
2005125630.tif 000008